(57)【要約】【課題】コンロ後方の壁面の油汚れ防止など、多彩な用途に用いられるポータブル送風機、および、これを負圧力発生源に利用してタバコの煙の清浄処理が可能な煙清浄装置を提供する。【解決手段】ポータブル送風機の発明では、送風機をポータブル化し、かつ風をケーシングの被掛止物との対峙面の一端から斜め外方へ吹き出すため、任意の場所へ簡単に運び込めるとともに、例えばポータブル送風機をコンロの背板に、排気口をコンロの上面付近に配置して使用することで、油煙が斜め上方への風に導かれ、コンロ真上のレンジフードに吸引される。その結果、コンロ後方の厨房の壁面の油汚れを防止できる。また、煙清浄装置の発明では、ポータブル送風機のファンを煙清浄装置の負圧力発生源に利用するため、タバコの煙を通気路に吸い込んで清浄処理できる。これにより、喫煙者の喫煙を拡大できる。【選択図】図１
2013189946.tif 000002
【特許請求の範囲】
【請求項１】
ファンと、
該ファンが収納され、かつ吸気口および排気口が離間して形成されたケーシングと、
該ケーシングに取り付けられ、該ケーシングを被掛止物に掛止する掛止部材とを備え、
前記排気口は、前記ケーシングの被掛止物との対峙面の一端部に、前記ファンからの風を、前記ケーシングの被掛止物との対峙面の一端から斜め外方へ送るように形成されたポータブル送風機。
【請求項２】
前記被掛止物は、磁性体からなる外装ケースを有したコンロで、
前記掛止部材は、前記排気口を前記コンロの上面付近に配置した状態で前記ケーシングを前記外装ケースの背板に磁着する磁石で、
前記ケーシングを前記外装ケースの背板に磁着した状態で前記ファンを作動することで、前記コンロに対して斜め前方への上昇気流を発生させる請求項１に記載のポータブル送風機。
【請求項３】
請求項１のポータブル送風機が前記掛止部材を介して掛止され、前記請求項１のポータブル送風機により発生した負圧力でタバコの煙を通気路に吸い込んで清浄処理する煙清浄装置。
【請求項４】
前記通気路の上流側にはタバコの煙の脱臭部が設けられ、前記通気路の下流側には脱臭後の空気に香付けする芳香部が設けられた請求項３に記載の煙清浄装置。
【請求項５】
前記請求項１のポータブル送風機のファンは多翼ファンで、
前記請求項１のポータブル送風機のケーシングのうち、前記被掛止物との対峙面とは反対側となる表面に前記吸気口が形成され、
前記煙清浄装置は、
前記請求項１のポータブル送風機が、前記掛止部材を介して表側に掛止される掛止台と、
該掛止台に掛止された前記ポータブル送風機のファンからの風が導入される前記通気路が内部形成され、かつ前記掛止台の裏側に着脱自在に嵌合される煙清浄台とを有し、
前記掛止台および前記煙清浄台の各外観形状は、それぞれの嵌合面を斜面として、前記掛止台と前記煙清浄台とを嵌合した際に、前記吸気口が表面に配置される直方体となる台形台で、
前記それぞれの嵌合面は、長辺の向きを反対にして嵌合可能な矩形状である請求項３または請求項４に記載の煙清浄装置。
【発明の詳細な説明】
【技術分野】
【０００１】
この発明は持ち運びが可能で、かつ例えばコンロ周辺の壁面の油煙による油汚れの防止など、多彩な用途を有するポータブル送風機と、このポータブル送風機を負圧力発生源として着脱自在に組み込むことで、煙草の煙を清浄する煙清浄装置とに関する。
【背景技術】
【０００２】
厨房用の換気扇の一種として、コンロ上を覆うフードとファンとが一体化したレンジフードが知られている（例えば、特許文献１）。特許文献１のレンジフードは、ファンを作動することにより、フード直下に設置されたコンロを利用して、例えば、油料理を行ったときに発生した油煙をフードの中に吸い込むことにより、この油煙によるコンロ周辺の壁面の油汚れを防止するものである。
【０００３】
また、近年、喫煙においては、非喫煙者がタバコの煙を自分の意思とは関係なく吸ってしまう受動喫煙が問題となっている。受動喫煙の防止対策としては、部屋の片隅に喫煙所を設け、そこにタバコの煙を浄化する空気清浄器を据え付けることが行われている。
【特許文献１】特開２００９−１４２７８号公報
【発明の概要】
【発明が解決しようとする課題】
【０００４】
しかしながら、特許文献１に記載されたレンジフードでは、コンロから１ｍ以上も上方に設けられているため、仮にファンの出力を高めても、コンロの外装ケースの背板から一般的には数ｃｍ程度しか離れていないコンロ後方の厨房の壁面には、油料理中の油煙が多量に付着していた。
また、上述した喫煙に関しては、タバコの煙は空気中に拡散しやすいため、空気清浄器を部屋の片隅の喫煙場所に設置しても、空気中に拡散したタバコの煙を全て吸引することは不可能であり、喫煙場所からのタバコの煙の漏出を十分に防止することはできなかった。
【０００５】
そこで、発明者は鋭意研究の結果、ファンを収納したケーシングに、ファンからの風を、ケーシングの被掛止物との対峙面を基準とする斜め方向へ送るように排気口を形成し、かつケーシングを掛止部材により被掛止物、例えばコンロの外装ケースの背板に掛止するように構成すれば、ファンを作動することで、ファンからの風をコンロの真上に向かって斜め上方へ送ることができる。これにより、上述したコンロ後方の厨房の壁面の油汚れを防止できるなど、多彩な用途に利用できることを知見し、この発明を完成させた。
また、発明者は鋭意研究の結果、ポータブル送風機を掛止部材により煙清浄装置に掛止し、ファンからの風を負圧力発生源として、タバコの煙を通気路に吸い込んで清浄処理すれば、上述したタバコの煙による問題をすべて解消できることを知見し、この発明を完成させた。
【０００６】
この発明は、厨房におけるコンロ後方の壁面の油汚れ防止など、多彩な用途を有したポータブル送風機を提供することを目的としている。
また、この発明は、ポータブル送風機を負圧力発生源に利用したタバコの煙の清浄処理を行うことができる煙清浄装置を提供することを目的としている。
【課題を解決するための手段】
【０００７】
請求項１に記載の発明は、ファンと、該ファンが収納され、かつ吸気口および排気口が離間して形成されたケーシングと、該ケーシングに取り付けられ、該ケーシングを被掛止物に掛止する掛止部材とを備え、前記排気口は、前記ケーシングの被掛止物との対峙面の一端部に、前記ファンからの風を、前記ケーシングの被掛止物との対峙面の一端から斜め外方へ送るように形成されたポータブル送風機である。
【０００８】
ここでいうポータブル送風機とは、持ち運び可能な重さおよび大きさを有し、かつ掛止部材の取り付け面を基準とした斜め方向へ向かって風を発生できる送風機をいう。ポータブル送風機の重さは、成人した男女が片手で持ち運べる２ｋｇ以下が好ましい。２ｋｇを超えれば重すぎて成人でも片手で持ち運べない。持ち運びやすいように、ケーシングの一部に握り柄を設けてもよい。
ファンの種類は限定されない。例えば、各種の遠心ファン（例えば多翼ファン、ターボファンなど）の他、各種の軸流ファンなどを採用することができる。
ファンにより発生する風は、例えば、風量１８〜３０ＣＦＭ、静圧１０〜１３ｍｍＨ２Ｏ、風速１２〜１３ｍ／秒のものである。
【０００９】
また、吸気口および排気口、特に吸気口には、空気中のゴミやホコリを捕集する不織布を展張してもよい。不織布としては、例えば綿、麻、絹などの天然繊維からなるものでもよいし、プロピレン系樹脂繊維、ポリエステル系樹脂繊維、ポリエチレン系樹脂繊維などの各種の合成樹脂繊維からなるものでもよい。また、通気性を確保して不織布を合成樹脂により固めたものでもよい。その他、アルミニウム、鉄などの金属製繊維の不織布でもよいし、ガラス繊維からなる不織布でもよい。
掛止部材としては、例えば、磁石、面ファスナ、フック、ホック、クリップなどを採用することができる。その他、耐熱性を有する両面テープなどでもよい。
ケーシングが掛止される被掛止物は限定されない。例えば、コンロ、テーブル、各種の機器、各種の建造物の壁、窓枠、出入口の枠などを採用できる。
「ケーシングの被掛止物との対峙面の一端部」とは、掛止部材を介して、ポータブル送風機を被掛止物に掛止する際、被掛止物と対向するケーシングの面のうちの一端側の部分をいう。または、ケーシングにおける掛止部材の取り付け面のうちの一端側の部分をいう。具体的にはケーシングの裏面の一端部分などである。
【００１０】
請求項２に記載の発明は、前記被掛止物は、磁性体からなる外装ケースを有したコンロで、前記掛止部材は、前記排気口を前記コンロの上面付近に配置した状態で前記ケーシングを前記外装ケースの背板に磁着する磁石で、前記ケーシングを前記外装ケースの背板に磁着した状態で前記ファンを作動することで、前記コンロに対して斜め前方への上昇気流を発生させる請求項１に記載のポータブル送風機である。
【００１１】
コンロの種類としては、例えばガスコンロ、電気コンロなどを採用できる。
外装ケースの素材としては、例えば鉄、磁性鋼などの磁性体が挙げられる。
「排気口をコンロの上面付近に配置した状態でケーシングを外装ケースの背板に磁着する」とは、コンロの背後で、排気口がコンロの上面と同一高さ位置で露出するか、コンロの上面より３ｃｍ以内の下方位置で露出するか、コンロの上面より３ｃｍ以内の上方位置で露出するように、磁石を利用してポータブル送風機をコンロの外装ケースの背板に掛止することを意味する。
「コンロに対して斜め前方への上昇気流を発生させる」とは、排気口を通過するファンの風が、ケーシングの被掛止物との対峙面の一端から斜め外方へ送られるため、排気口をコンロの上面付近に配置してファンを作動すれば、必然的に風はコンロの斜め前方へ向けて送られることを意味する。
【００１２】
請求項３に記載の発明は、請求項１のポータブル送風機が前記掛止部材を介して掛止され、前記請求項１のポータブル送風機により発生した負圧力でタバコの煙を通気路に吸い込んで清浄処理する煙清浄装置である。
【００１３】
「タバコの煙の清浄処理」とは、タバコの煙に対して、煙に含まれる灰の除去、煙の臭い消し、煙への香付け、煙に含まれるニコチンなどの有害物質、無煙化処理のうち、少なくとも１つを行うことをいう。
煙清浄装置におけるポータブル送風機の掛止位置は限定されない。例えば、煙清浄装置の表面、裏面またはその内部空間でもよい。
煙清浄装置には、ポータブル送風機の掛止部材が掛止される部材が設けられている。例えば、掛止部材が磁石の場合には、鉄板などの磁性体または磁石が煙清浄装置に設けられる。また、掛止部材が面ファスナの場合には、掛止部材側の面ファスナに掛合される他方の側の面ファスナが煙清浄装置に取り付けられる。
通気路とは、煙清浄装置の内部空間に形成されたタバコの煙が装置内を通過する通路をいう。通気路の形状、サイズおよび前記内部空間での引き回し経路（配路）などは限定されない。
「ポータブル送風機により発生した負圧力でタバコの煙を通気路に吸い込む」とは、ポータブル送風機のファンを負圧力発生源とし、これを作動させた際に発生した負圧力を利用し、煙清浄装置の周辺のタバコの煙を通気路に吸引することをいう。
【００１４】
請求項４に記載の発明は、前記通気路の上流側にはタバコの煙の脱臭部が設けられ、前記通気路の下流側には脱臭後の空気に香付けする芳香部が設けられた請求項３に記載の煙清浄装置である。
【００１５】
ここでいう「通気路の上流側」とは、通気路のうち、この通気路の長さ方向の中間位置より、タバコの煙が流れ込む側の部分をいう。
ここでいう「通気路の下流側」とは、通気路のうち、この通気路の長さ方向の中間位置より、タバコの煙が排出される側の部分をいう。
また、通気路の上流側、特に脱臭部より上流側の部分に、タバコの灰などのゴミを捕集するフィルタを設けてもよい。フィルタによりタバコの灰などのゴミが除去されるため、その後のタバコの煙の清浄処理が容易となる。
フィルタとしては、例えば連続発泡の合成樹脂のスポンジや、不織布などを採用できる。
脱臭部としては、例えば、活性炭、木炭、竹炭などの消臭剤を袋または容器に収納したものを採用することができる。その他、オゾン脱臭器などでもよい。
芳香部としては、例えばラベンダ、レモン、ライム、石鹸、ヒノキ、などの芳香剤を袋または容器に収納したものを採用できる。その他、液状の芳香剤をスプレーするものでもよい。
【００１６】
請求項５に記載の発明は、前記請求項１のポータブル送風機のファンは遠心ファンで、前記請求項１のポータブル送風機のケーシングのうち、前記被掛止物との対峙面とは反対側となる表面に前記吸気口が形成され、前記煙清浄装置は、前記請求項１のポータブル送風機が、前記掛止部材を介して表側に掛止される掛止台と、該掛止台に掛止された前記ポータブル送風機のファンからの風が導入される前記通気路が内部形成され、かつ前記掛止台の裏側に着脱自在に嵌合される煙清浄台とを有し、前記掛止台および前記煙清浄台の各外観形状は、それぞれの嵌合面を斜面として、前記掛止台と前記煙清浄台とを嵌合した際に、前記吸気口が表面に配置される直方体となる台形台で、前記それぞれの嵌合面は、長辺の向きを反対にして嵌合可能な矩形状である請求項３または請求項４に記載の煙清浄装置である。
【００１７】
遠心ファンとしては、例えば多翼ファン（シロッコファン）、ターボファン、サイレントファン、リミットロードファンなどを採用することができる。
ここでいう「ケーシングのうち、被掛止物との対峙面とは反対側となる表面に吸気口が形成され」とは、ケーシングの被掛止物との対峙面がケーシングの裏面であって、その反対側の面となるケーシングの表面に、吸気口が形成されていることを意味する。
掛止台には、ポータブル送風機の掛止部材が掛止される部材が設けられている。また、掛止台には、煙清浄台との嵌合時に、ポータブル送風機の排気口と煙清浄台の通気路とを連通する開口または切り欠きが形成されている。
通気路は、その吸気側の開口が、煙清浄台の表面のうちのポータブル送風機の排気口と連通可能な位置に形成されている。また、通気路の排気側の開口は、煙清浄台のうち、この表面を除いた他の面（例えば煙清浄台の裏面）に形成される。
【００１８】
掛止台と煙清浄台との嵌合構造は限定されない。例えば、凹凸部の嵌合などを採用できる。
「それぞれの嵌合面が、長辺の向きを反対にして嵌合可能な矩形状」とは、嵌合面が矩形状であるため、掛止台と煙清浄台とを嵌合する際、その嵌合面の長辺の向きを逆にして嵌合することも可能であることを意味する。
「掛止台および煙清浄台の外観形状が、それぞれの嵌合面を斜面として、掛止台と煙清浄台とを嵌合した際に、吸気口が表面に配置される直方体となる台形台」とは、以下のことを意味する。すなわち、掛止台の嵌合面と煙清浄台の嵌合面とは、何れも同一矩形状の斜面である。したがって、これらは、長辺方向の向きを変えて嵌合することで、煙清浄装置の外観形状を、上下面が水平（平行）な直方体としたり、掛止台が斜めに立ち上がった変形の台形台とすることができる。
【発明の効果】
【００１９】
請求項１に記載のポータブル送風機によれば、掛止部材を介してポータブル送風機を被掛止物に掛止する。その後、この状態でファンを作動すれば、ファンにより発生した風は、排気口を通して、ケーシングの被掛止物との対峙面の一端から斜め外方へ吹き出される。その結果、例えば、このファンから吹き出される風を、それが必要とされる場所へ簡単に運び込み、この風を誘導風として気体や埃などの粉体を所定の方向へ誘導したり、人間や物を冷やす冷却用の風やエアカーテンなど、様々な用途で利用できる。
【００２０】
特に、請求項２に記載のポータブル送風機によれば、磁石によりポータブル送風機をコンロの外装ケースの背板に、排気口をコンロの上面付近に配置した状態で磁着し、この状態でファンを作動する。これにより、ファンからの風がコンロの真上に設置されたレンジフードに向かって斜め上方へ送られる。その結果、コンロにかけた例えばフライパンから発生した油煙が、このファンからの送風に導かれ、コンロ後方の厨房の壁面に接することなく、コンロ真上のレンジフードのダクトの中に吸引される。その結果、コンロ後方の厨房の壁面の油汚れを防止できる。
【００２１】
また、請求項３に記載の煙清浄装置によれば、携帯可能なサイズのポータブル送風機を掛止部材により煙清浄装置に掛止し、ポータブル送風機のファンを煙清浄装置の負圧力発生源に利用することで、タバコの煙を通気路に吸い込み清浄処理できる。これにより、喫煙者は部屋の一部に設けられた空気清浄器が据え付けられた喫煙場所でのみ喫煙をしなくても、この煙清浄装置をタバコを吸いたい場所に持参し、煙清浄装置に向かってタバコの煙を吐くことで、その煙を清浄処理できる。
【００２２】
さらに、請求項４に記載の煙清浄装置によれば、通気路の上流側にタバコの煙の脱臭部を設け、この通気路の下流側に脱臭後の空気に香付けする芳香部を設けたため、煙清浄時、ニコチン臭を放つタバコの煙を脱臭するだけでなく、香りのよい空気として煙清浄装置から排出できる。
【００２３】
さらにまた、請求項５に記載の煙清浄装置によれば、掛止部材を介してポータブル送風機を掛止台に掛止するとともに、掛止台を煙清浄台に着脱自在に嵌合する。その後、ファンを作動すれば、その負圧力により、周辺のタバコの煙が掛止台から煙清浄台の通気路へ流れ込み、通気路を通過中にタバコの煙が清浄される。
しかも、煙清浄装置の組み立て時、それぞれが台形台である掛止台と煙清浄台とを、掛止台の方を上側にして、外観形状が、表面を上方に向けた直方体の煙清掃装置となるように嵌合面を重ね合わせて嵌合する。これにより、例えば煙清浄装置をテーブルなどの上にコンパクトに載置することができるとともに、その後、喫煙者が煙清浄装置に向かって吐いたタバコの煙を、ポータブル送風機の上向き配置された吸気口から通気路に吸引し、これを清浄処理できる。
また、煙清浄装置の別の組み立て時には、掛止台と煙清浄台とを、互いの嵌合面を先ほどの場合とは長辺の向きを反対にして嵌合する。これにより、掛止台の吸気口を有した表面が、水平面を基準として斜めに配置される。その結果、喫煙者が仮にテーブル上の煙清浄装置に向かって水平にタバコの煙を吐いた場合でも、ポータブル送風機の吸気口が斜めに起立しているため、上述する吸気口を水平にした場合に比べて、煙を通気路に吸い込み易い。
【図面の簡単な説明】
【００２４】
【図１】この発明の実施例１に係るポータブル送風機を示す斜視図である。
【図２】この発明の実施例１に係るポータブル送風機の分解斜視図である。
【図３】この発明の実施例１に係るポータブル送風機の厨房におけるコンロ後方の壁面の油汚れ防止装置としての使用状態を示す側面図である。
【図４】この発明の実施例２に係る煙清浄装置を示す斜視図である。
【図５】この発明の実施例２に係る煙清浄装置の分解斜視図である。
【図６】この発明の実施例２に係る煙清浄装置の第１の使用状態を示す側面図である。
【図７】この発明の実施例２に係る煙清浄装置の第２の使用状態を示す側面図である。
【図８】この発明の実施例２に係る煙清浄装置のスタンドを利用した第３の使用状態を示す斜視図である。
【図９】この発明の実施例２に係る煙清浄装置のスタンドを利用した第３の使用状態を示す側面図である。
【発明を実施するための形態】
【００２５】
以下、この発明の実施例を具体的に説明する。説明の都合上、図中のＸ１方向を実施例１ではポータブル送風機の前方向とし、かつ実施例２では煙清浄装置の前方向とし、Ｘ２方向をそれらの後方向とし、Ｙ１方向をそれらの左方向とし、Ｙ２方向をそれらの右方向とし、Ｚ１方向をそれらの上方向とし、Ｚ２方向をそれらの下方向とする。
【実施例】
【００２６】
図１〜図３において、１０はこの発明の実施例１に係るポータブル送風機（以下、送風機）である。この送風機１０は、ファン１１と、ファン１１が収納され、かつ吸気口１２ａおよび排気口１２ｂが離間して形成されたケーシング１２と、ケーシング１２に取り付けられ、ケーシング１２をコンロ（被掛止物）１３に掛止する一対の磁石（掛止部材）１４とを備えたものである。コンロ１３はガスコンロである。
【００２７】
以下、図１〜図３を参照して、これらの構成体を具体的に説明する。なお、送風機１０の部品説明における方向（側）は、全て図２上での方向（側）を基準とする。
ファン１１は、遠心ファンの一種である小型のシロッコファンである。ファン１１の吸気用の開口１１ａはＺ１側の端板に形成され、ファン１１の排気用の開口１１ｂはＸ１側の側板に形成されている。
ケーシング１２は、平面視して矩形状の筐体である。ケーシング１２は、開口が下方を向いた矩形容器状の表プレート１５と、表プレート１５の下縁部に嵌合される平坦な矩形皿状の裏プレート１６とからなる。ケーシング１２は、高温となるコンロ１３の外装ケース１７の背板１７ａに磁着して使用されるため、耐熱性プラスチック（例えば、ポリエチレンテレフタレート）からなる。
表プレート１５は、Ｘ１方向の端部に法面１５ａが形成され、Ｚ１方向に配置された表壁の略全域に、矩形状の前記吸気口１２aが形成されている。吸気口１２aには、菱形と十字とを組み合わせた補強枠１８が形成されている。吸気口１２aには、外方から矩形状のスポンジシートからなるフィルタ１９が、４つの略三角形の掛止板片２０を介して掛止されている。また、法面１５ａには、送風機１０の携帯が容易なように握り柄２１を設けてもよい（図２の二点鎖線）。さらに、表プレート１５のＹ１側の側壁のＸ２側の端部には、ファン用の電源コネクタ２２を固定するコネクタ装着部１５ｂが形成されている。
【００２８】
裏プレート１６のＸ１側の端部のうち、Ｙ１側の半分には、平面視して矩形状の前記排気口１２ｂが形成されている。また、裏プレート１６のＸ１側の端部のうち、Ｙ２側の半分には、前記法面１５ａのＹ２側の内部空間を内側から塞ぐ、台形台形状の台形隆起部１６ａが形成されている。これにより、両プレート１５，１６を連結した際、ケーシング１２のＸ１側の端部のＹ１側の半分のみに、ファン１１により発生した風を排気口１２ｂから送り出す排気路１２ｃが内部形成される。このとき、排気路１２ｃのＺ１側の壁は、法面１５ａの一部分によって構成されているため、ファン１１の排気側の開口からＸ１方向へ排気された風は、この法面１５ａに当たって反射し、排気口１２ｂを通過してケーシング１２のコンロ１３との対峙面の一端からＸ１−Ｚ２方向（斜め下方向）へ送り出される。
また、裏プレート１６のＸ１側の端部付近のうち、Ｙ１側の端部およびＹ２側の端部には一対の矩形凹部１６ｂが離間して形成されている。これらの矩形凹部１６ｂには、一対の磁石１４が固定されている。
【００２９】
図１〜図３において、符号２３は、表プレート１５の法面１５ａのＹ２側の端部に形成され、両プレート１５，１６の嵌合時に台形隆起部１６ａの上壁に押し当てられることで、排気路１２ｃを通過する風の一部が、台形隆起部１６ａと法面１５ａとの隙間から外部へ漏れないように塞き止める、Ｙ１−Ｙ２方向に長い押し当て凹部である。符号２４は、裏プレート１６の各辺部に形成され、かつ両プレート１５，１６の嵌合時に表プレート１５の下縁部を嵌合する複数の嵌合突起である。符号２５はコンロ１３の後方に配置された厨房の壁面である。符号２６はレンジフードである。符号２７はてんぷら鍋である。
【００３０】
次に、図１〜図３を参照して、この発明の実施例１に係る送風機１０を使用した、厨房におけるコンロ１３の後方の壁面２５の油汚れ防止方法を説明する。
使用時には、まず送風機１０を、２個の磁石１４を介して、コンロ１３の外装ケース１７の背板１７ａに、排気口１２ｂをコンロ１３の上面付近（上面と略同一高さ）に配置した状態で磁着する（図３）。この状態で、コンロ１３にてんぷら鍋２７をかけて着火し、ファン１１を作動することにより風が発生し、ケーシング１２内が負圧化する。これによって、フィルタ１９によりゴミがろ過された空気が吸気口１２aからケーシング１２内に吸引され、次にファン１１の排気路１２ｃを通過する。その途中、風は法面１５ａに衝突し、進行方向が変更される。すなわち、風はケーシング１２の裏面を基準とした斜め上方、具体的にはコンロ１３の真上に配置されたレンジフード２６に向かって吹き出される。これにより、てんぷらを揚げる際に生じた油煙は、コンロ１３の上面より上方に配置された排気口１２ｂから斜め上方へ向かう気流に導かれ、油煙はコンロ１３の後方の厨房の壁面２５に接することなく、コンロ１３の真上のレンジフード２６のダクトの中に吸引される。その結果、コンロ１３の後方の厨房の壁面２５の油汚れを防止できる。
このように、送風機１０は、磁石１４によりコンロ１３の外装ケース１７に掛止した状態で、ケーシング１２の被掛止物（コンロ１３）との対峙面の一端から斜め外方へ吹き出すことができる。その結果、従来品の場合に必要であった大がかりな送風機の設置工事が不要となる。
【００３１】
次に、図４〜図９を参照して、この発明の実施例２に係る煙清浄装置を説明する。
図４および図５において、この発明の実施例２に係る煙清浄装置３０は、実施例１の送風機１０が一対の磁石１４を介して磁着され、送風機１０のファン１１により発生した負圧力でタバコの煙を通気路３１に吸い込み、清浄処理するものである。
【００３２】
以下、これらの構成体を具体的に説明する。なお、煙清浄装置３０の部品説明における方向（側）および形状は、全て図５中の方向（側）および形状を基準とする。
図４および図５に示すように、煙清浄装置３０は、主に、送風機１０と、送風機１０が一対の磁石１４を介して表側に掛止される掛止台３２と、掛止台３２に掛止された送風機１０のファン１１からの風が導入される前記通気路３１が内部形成され、かつ掛止台３２の裏側に着脱自在に嵌合される煙清浄台３３とから構成されている。
【００３３】
掛止台３２および煙清浄台３３は、同一素材のプラスチックからなる。これらは、上下を反対にして使用されるものの、側面視して直角三角形状に近似した略同一の台形台形状の容器である。したがって、掛止台３２と煙清浄台３３とは、各露出面のうち、その前記側面視して直角三角形の高さの辺に当たる面（背面）を対峙させて嵌合することで、直方体の容器となる（図６）。
また、掛止台３２および煙清浄台３３の嵌合面は、それぞれの露出面のうち、前記側面視して直角三角形の斜辺に当たる面で、いずれもＸ１−Ｘ２方向に長い矩形状を有している。このうち、掛止台３２の嵌合面（下面）には下向きの開口が形成され、煙清浄台３３の嵌合面（上面）には上向きの開口が形成されている。掛止台３２および煙清浄台３３の各嵌合面３２ａ，３３ａの外周部には、嵌合時に互いに嵌り合う矩形形状の嵌合枠３２ｂ，３３ｂがそれぞれ形成されている。
なお、煙清浄装置３０をテーブルに載置して使用する場合、煙清浄装置３０の上面は、掛止台３２の露出面のうち、前記側面視して直角三角形の底辺に当たる面となる。また、煙清浄装置３０の下面は、煙清浄台３３の露出面のうち、前記側面視して直角三角形の底辺に当たる面となる。掛止台３２と煙清浄台３３とを図５に示す向きで嵌合したとき、両台３２，３３の内部空間は、何れもＸ１方向に向かうほど徐々に断面積が小さくなる。すなわち、図４、図５および図７に示す煙清浄装置３０は、その掛止台３２と煙清浄台３３とを、互いの上下を反対として、かつそれぞれの露出面のうち、前記側面視して直角三角形の高さの辺に当たる面（背板３２ｃ、３３ｃ）をＸ２方向に向けるとともに、互いの前面をＸ１方向に向けて嵌合している。
【００３４】
また、図４、図５および図７に示す嵌合形状の煙清浄装置３０は、図８および図９に示す左右一対のスタンド３４を利用し、起立状態で使用してもよい。各スタンド３４は、平面視して矩形状の厚肉なプラスチック板である。各スタンド３４の上部のうち、Ｘ１−Ｘ２方向の略中間部には、各スタンド３４のＹ１−Ｙ２側の面を貫通する直線状の掛止溝３５が形成されている。掛止溝３５は、奥面に向かって徐々にＸ１方向へ傾斜した断面矩形状の溝である。この掛止溝３５には、互いに嵌合した掛止台３２と煙清浄台３３との嵌合枠３２ｂ、３３ｂのうち、煙清浄装置３０の背面側の部分が掛止される。各スタンド３４の上面のうち、掛止溝３５よりＸ１側の近くは、煙清浄装置３０の使用時に掛止台３２の背板３２ｃの嵌合面側の部分が当接する内向き法面３４ａとなっている。また、各スタンド３４の上面のうち、この内向き法面３４ａよりＸ１側の部分は外向き法面３４ｂとなっている。さらに、各スタンド３４の上面のうち、掛止溝３５よりＸ２側の部分は、煙清浄装置３０の使用時に煙清浄台３３の背板３３ｃが当接する平坦面３４ｃとなっている。平坦面３４ｃのＹ１―Ｙ２側の両端部には、起立状態の煙清浄装置３０を位置決めする一対のストッパ３６が突設されている。
【００３５】
図４および図５に示すように、前記掛止台３２の上面には、外周部を除く全域に、送風機１０を嵌合する平面視して矩形状の掛合凹部３２ｄが形成されている。掛合凹部３２ｄの奥板のうち、Ｘ２側の端部の裏面には、前記一対の磁石１４が磁着するＹ１−Ｙ２方向に長い矩形状の鉄板３７が固定されている。また、掛合凹部３２ｄのＸ２方向の端部のうち、Ｙ２側の半分には、前記ケーシング１２の排気口１２ｂと同一形状で、かつ送風機１０の掛合時、排気口１２ｂと重なり合う貫通口３８が形成されている。
また、前記煙清浄台３３には、その上面に形成された開口３３ａを塞ぐプラスチック製の蓋体３９が、煙清浄台３３の内部空間に抜き差し自在に挿入されている。蓋体３９は、平行に離間した側面視して略下向き直角三角形状の２枚の側板３９ａと、両側板３９ａの上端部を連結する平面視してＸ１−Ｘ２方向に長い矩形状の上板３９ｂとからなる。上板３９ｂのＸ１側の半分には、外周部を残して矩形状の窓部４０が形成されている。
【００３６】
煙清浄台３３の下部のＸ２側のコーナーには、外周部を除いて上面が法面となった排気用凹部４１が形成されている。この排気用凹部４１の傾斜した上面には、Ｙ１−Ｙ２方向に長い３段式のスリット排気口４２が形成されている。これにより、蓋体３９を有した煙清浄台３３の内部空間には、上流側の開口が窓部４０で、かつ下流側の開口がスリット排気口４２となった前記通気路３１が形成される。
この通気路３１の上流側には、煙清浄台３３の開口３３ａの略半分の面積を有する脱臭部４３が収納され、通気路３１の下流側には、煙清浄台３３の開口と略同一面積を有する芳香部４４が収納されている。蓋体３９の窓部４０の裏側には、この窓部４０を覆ってタバコの灰などの異物を捕獲するプラスチック製のスポンジシートからなる矩形状のフィルタ１９Ａが抜き取り自在に配置されている。脱臭部４３は、平面視して矩形状の不織布袋４３ａに粒状の活性炭４３ｂが充填されたもの（または活性炭４３ｂを塗布したプラスチック製のスポンジシート）である。また、芳香部４４は、脱臭部４３のものより大判な平面視して矩形状の不織布袋４４ａに、粒状の芳香剤４４ｂ充填されたものである。これらのフィルタ１９Ａ、脱臭部４３および芳香部４４は、例えばタバコの灰などにより汚れたり、脱臭効果や香付け効果が低下した際に適宜交換する。なお、送風機１０のフィルタ１９も、汚れた際には適宜交換する。
【００３７】
次に、図４〜図９を参照して、実施例２に係る煙清浄装置３０の使用方法を説明する。
実施例２の煙清浄装置３０の使用時には、送風機１０を掛止台３２の掛合凹部３２ｄに、排気口１２ｂと貫通口３８とを重ね合わせて掛合する。このとき、ケーシング１２に固定された一対の磁石１４が、掛合凹部３２ｄの奥板の裏面の鉄板３７に磁着される。
次いで、下面を下に向けてテーブルに載置された煙清浄台３３に、互いの背板３２ｃ、３３ｃをＸ２側に向けた状態で矩形状の嵌合枠３２ｂ、３３ｂを嵌め合わせて、送風機１０付きの掛止台３２を嵌合する（図４および図７）。これにより、煙清浄装置３０が組み立てられる。このとき、送風機１０の吸気口１２aは、水平面を基準として約３０°の傾斜状態でＸ１方向（前方）を向いている。
その後、送風機１０のファン１１を作動させ、喫煙者が図７の矢印Ａ方向から吸気口１２aに向かってタバコの煙を吹きかけることで、煙は、その中に含まれた灰がフィルタ１９により捕集され、排気口１２ｂおよび貫通口３８を順次通過して掛止台３２の内部空間に流れ込む。その後、煙は蓋体３９のＸ２側の上面に当たって反射し、蓋体３９の窓部４０を通過して煙清浄台３３の通気路３１に流れ込む。その後、煙はフィルタ１９Ａにより微細な埃などが捕集され、脱臭部４３を通過する際に活性炭４３ｂにより脱臭され、次に芳香部４４を通過する際に芳香剤４４ｂにより香付けされて、煙清浄台３３のスリット排気口４２から大気解放される。
【００３８】
このように、送風機１０のファン１１を煙清浄装置３０の負圧力発生源に利用することで、タバコの煙を通気路３１に吸い込み、清浄処理できる。これにより、喫煙者は例えば部屋の片隅の喫煙場所のみで喫煙しなくても、この煙清浄装置３０をタバコを吸いたい場所に持参し、煙清浄装置３０に向かって煙を吐き、これを装置内で清浄処理することで、どのような場所でも喫煙できる。
また、通気路３１の上流側にタバコの煙の脱臭部４３を設け、かつその下流に芳香部４４を設けたため、煙清浄時、ニコチン臭を放つタバコの煙を脱臭するだけでなく、香りのよい空気として煙清浄装置３０から排出できる。
【００３９】
さらに、掛止台３２と煙清浄台３３との外観形状が、側面視して略直角三角形となる台形台であるため、煙清浄装置３０の組み立て時、掛止台３２と煙清浄台３３とを、それぞれの露出面のうち、側面視して直角三角形の高さの辺に当たる背面（背板３２ｃ、３３ｃ）同士が対峙するように嵌合することで、煙清浄装置３０が直方体となる（図６）。よって、例えば煙清浄装置３０をテーブルに載置する際や倉庫での保管時など、煙清浄装置３０のコンパクト化が図れて場所をとらない。
【００４０】
また、煙清浄装置３０の図４および図７に示すような外観形状での組み立て時には、掛止台３２と煙清浄台３３とを、互いの嵌合面を先ほどの直方体の場合とは長辺の向きを反対にして嵌合する。これにより、掛止台３２の吸気口１２aを有した表面が、水平面を基準として斜めに配置される。その結果、喫煙者が仮にテーブル上の煙清浄装置３０に向かって水平にタバコの煙を吐いた場合でも、送風機１０の吸気口１２aが斜めに起立しているため、上述する吸気口１２aを水平にした場合に比べて、煙を通気路３１に吸い込み易い。
さらに、この場合、図８および図９に示す各スタンド３４を用いて煙清浄装置３０を起立させて使用した場合には、送風機１０の吸気口１２aの水平面を基準とした傾斜角度がさらに大きくなり（垂直に近くなり）、喫煙者が水平に吐き出したタバコの煙の捕集率をさらに高められる。
【産業上の利用可能性】
【００４１】
この発明のポータブル送風機は、持ち運びが可能なポータブル送風機および空気清浄機などとして有用である。
【符号の説明】
【００４２】
１０  ポータブル送風機、
１１  ファン、
１２  ケーシング、
１２ａ  吸気口、
１２ｂ  排気口、
１３  コンロ（被掛止物）、
１４  磁石（掛止部材）、
１７  外装ケース、
１７ａ  背板、
３０  煙清浄装置、
３１  通気路、
３２  掛止台、
３２ａ，３３ａ  嵌合面、
３３  煙清浄台、
４３  脱臭部、
４４  芳香部。
【図１】
2013189946.tif 000003
【図２】
2013189946.tif 000004
【図３】
2013189946.tif 000005
【図４】
2013189946.tif 000006
【図５】
2013189946.tif 000007
【図６】
2013189946.tif 000008
【図７】
2013189946.tif 000009
【図８】
2013189946.tif 000010
【図９】
2013189946.tif 000011